(57)【要約】【課題】既設の電線等を利用して、新設ケーブルを布設する装置、及び布設方法の提供。【解決手段】支持線が架設されている二地点の間に新設ケーブルを布設するための装置であって、複数のＳ字形状ガイド１１を装着したロープ５よりなるケーブル布設用具１と、牽引ロープとからなることを特徴とする新設ケーブル布設装置であり、さらに前記の新設ケーブル布設装置を用いて、支持線に前記Ｓ字形ガイド上部湾曲部引掛ける手順と、前記のケーブル布設用具の固定端を一の電柱又は一の電柱近辺の支持線に結合する手順と、前記Ｓ字形ガイド下部湾曲部に新設ケーブルを引掛ける手順と、前記ケーブル布設用具の自由端側に新設ケーブルの端末を固定する手順と、前記ケーブル布設用具の自由端に結合された牽引ロープを牽引する手順と、目的とする二地点に新設ケーブルを固定する手順と、ケーブル布設用具を回収する手順とからなる新設ケーブルの布設方法である。【選択図】図１
2011015585.tif 000002
【特許請求の範囲】
【請求項１】
支持線が架設されている二地点の間に新設ケーブルを布設するための装置であって、複数のＳ字形状ガイドを装着したロープよりなるケーブル布設用具と、牽引ロープとからなることを特徴とする新設ケーブル布設装置。
【請求項２】
前記Ｓ字形ガイドが、Ｓ字形ガイドの直線部中央にロープ保持具が備えられている請求項１に記載の新設ケーブル布設用具。
【請求項３】
支持線が架設されている二地点の間において、請求項２に記載の新設ケーブル布設装置を用いて、支持線に前記Ｓ字形ガイド上部湾曲部を引掛ける手順と、前記のケーブル布設用具の固定端を一の電柱又は一の電柱近辺の支持線に結合する手順と、前記Ｓ字形ガイド下部湾曲部に新設ケーブルを引掛ける手順と、前記ケーブル布設用具の自由端側に新設ケーブルの端末を固定する手順と、前記ケーブル布設用具の自由端に結合された牽引ロープを牽引する手順と、目的とする二地点に新設ケーブルを固定する手順と、ケーブル布設用具を回収する手順とからなる新設ケーブルの布設方法。
【発明の詳細な説明】
【技術分野】
【０００１】
本発明は、電柱間、または住宅と近隣電柱間に架設された既存ケーブルを利用して、新設ケーブルを布設するための装置及び布設方法に関する。
【背景技術】
【０００２】
近年の映像配信、データ通信等のブロードバンドサービスの拡大により、光ファイバによる家庭向けデータ通信サービス（以下ＦＴＴＨと略称する。）の加入者が増加している。このＦＴＴＨでは、光ファイバを架空の幹線光ケーブルからクロージャを介して加入者宅等に引き込むのに、例えば、ドロップ光ケーブルと言われている光ケーブルが多く用いられている。住宅等への光ファイバの引き込みは、例えば電柱等に布設された幹線光ケーブルを、クロージャで分岐し、分岐した光ファイバをドロップ光ケーブルに接続することにより行われている。
【０００３】
従来、新設ケーブルを布設する方法としては、引き込み用のドロップ光ケーブルとしてケーブル本体部と吊線部を切断容易な首部で一体に連結したものを用い、吊線部の両端を架設の目的である両地点にそれぞれに固定して、ケーブル本体部を吊下げ支持する方法がある。例えば電柱から住宅へケーブルを引き込む場合は、電柱側で新設ケーブルの一端を固定して幹線光ケーブルと接続し、次に新設ケーブルの他端を目的の電柱または住宅側へ引きずりながら延長した後に、他端を引っ張って、新設ケーブルを緊張させ、他端を住宅側で固定し、屋内機器と接続して工事を完了する。この場合に、新設ケーブルを住宅側へ延長してから新設ケーブルを引っ張るまでの間は、一時的に新設ケーブルは地面または道路上に置かれることとなる。
【０００４】
前記による工事の場合は、（１）ケーブル布設が道路を横断する場合には、前記置かれたケーブルが交通の妨げとなる。（２）車や人との事故を防ぐため、交通整理員が必要となる。（３）ケーブル布設が圃場を横断する場合には、作物を棄損する。（４）施工スケジュールが遅延する、等の問題があった。
【０００５】
このために、例えばメッセンジャーワイヤーまたは既設の電話線や電力線を支持線として、これに光ケーブルを螺旋状に巻き付けて引き込む方法も提案されている（例えば特許文献１、特許文献２を参照。）。
【０００６】
上記の光ケーブルを支持線に螺旋状に巻き付けて引き込む方法の場合は、作業が煩雑である上に、支持線とドロップ光ケーブルの螺旋状部分とが密着せず、隙間が大きくあいた状態となる場合があり、車両等による引掛け事故や鳥類の悪戯による断線の恐れもあった。
【先行技術文献】
【特許文献】
【０００７】
【特許文献１】特開２００２−１４２３１９号公報
【特許文献２】特開２００９−４８１２８公報
【発明の概要】
【発明が解決しようとする課題】
【０００８】
本発明は、上記の事情に鑑み、既設の電線等を利用して効率的に新設ケーブルを布設するための装置、及び布設方法を提供することを目的とする。
【課題を解決するための手段】
【０００９】
＜１＞  本発明は、支持線が架設されている二地点間に新設ケーブルを布設するための装置であって、複数のＳ字形状ガイドを装着したロープよりなるケーブル布設用具と、牽引ロープとからなることを特徴とする新設ケーブル布設装置である。
＜２＞前記Ｓ字形ガイドは、Ｓ字形ガイドの直線部中央にロープ保持具が備えられていることが好ましい。
＜３＞さらに本発明は、支持線が架設されている二地点間において前記新設ケーブル布設装置を用いて、支持線に前記Ｓ字形ガイド上部湾曲部を引掛ける手順と、前記のケーブル布設用具の固定端を一の電柱又は一の電柱近辺の支持線に結合する手順と、前記Ｓ字形ガイド下部湾曲部に新設ケーブルを引掛ける手順と、前記ケーブル布設用具の自由端側に新設ケーブルの端末を固定する手順と、前記ケーブル布設用具の自由端に結合された牽引ロープを牽引する手順と、目的とする二地点に新設ケーブルを固定する手順と、新設ケーブル布設装置を回収する手順とからなる新設ケーブルの布設方法である。
【発明の効果】
【００１０】
本発明の布設装置及び布設方法を使用すると、従来の布設方法に比較して作業能率が高く、また既設ケーブルとは独立した新設ケーブルが架設されることから、光ケーブルを支持線に螺旋状に巻き付ける場合に生じる支持線とドロップ光ケーブルとの隙間による車両等による引掛け事故や鳥類による断線の恐れが解消される。またケーブルを布設する２地点上に道路や圃場、池等の地上の障害がある場合であっても、これらの障害に妨げられることもなく円滑に作業ができ、交通整理員等の必要もなく、布設スケジュールが遅延することもない。
【図面の簡単な説明】
【００１１】
【図１】本発明のケーブル布設用具を示す正面概略図
【図２】ケーブル布設用具に用いられるＳ字形ガイドを示す正面概略図
【図３】Ｓ字形ガイドに用いられる回転カラーを示す斜視図
【図４】新設ケーブル布設方法を示す正面概略図
【図５】新設ケーブル布設完了時を示す正面概略図
【図６】新設ケーブル布設完了後のＳ字形ガイド回収を示す正面概略図
【図７】実施例に使用のケーブル布設用具の一部を示す正面図
【発明を実施するための形態】
【００１２】
本発明は、上記課題を解決するために、電柱間に架設された既設ケーブルやメッセンジャーワイヤー等の支持線を利用して、新しいケーブルを布設する装置及び布設方法である。本発明の新設ケーブル布設装置はケーブル布設用具と牽引ロープとからなる。前記ケーブル布設用具を図１に示す。図１に示す通り、ケーブル布設用具１はロープ５に複数のＳ字形ガイド１１を適宜の間隔に装着したものである。前記ロープ５としては、柔軟性と強度を有するものであれば、三つ打ロープ（ストランド３本を撚り合わせたロープ）、クロスロープ、樹脂被覆ロープ等のいずれのロープを用いることができるが、中でも三つ打ロープがＳ字形ガイドの装着の観点からは好ましい。ロープに装着されるＳ字形ガイド１１相互の間隔は、支持線の勾配等に合わせてケーブル架設が円滑に行われる範囲で任意に選択できるが、支持線が水平の場合には１００ｃｍ〜３００ｃｍが好ましく、１５０ｃｍ〜２５０ｃｍがより好ましい。
【００１３】
前記ケーブル布設用具１に用いられるＳ字形ガイド１１を図２に示す。Ｓ字形ガイドは本体がＳ字状に成形された器具で、直線部１３、上部湾曲部１５、下部湾曲部１７により構成されている。該Ｓ字形ガイド１１の材料は、通常の架設作業で破損しない強度を有し、表面が滑らかなものであればいずれの材質も選択できるが、中でも強化プラスチックや硬鋼線材が好ましく、硬鋼線材がより好ましい。硬鋼線材を用いる場合は防食のためにメッキが施されていることが好ましい。
【００１４】
該Ｓ字形ガイド１１は、上部湾曲部１５先端と直線部１３との距離Ａが支持線の径の２〜６倍程度であることが好ましく、下部湾曲部１７先端と直線部１３との距離Ｂが新設ケーブルの径の２〜６倍程度であることが好ましい。また上部湾曲部及び下部湾曲部の各先端は、ロープのストランド間への挿入等の作業性を考慮して、頂部が丸形の尖形が好ましい。
【００１５】
前記Ｓ字形ガイド１１をロープに装着する方法としては、該ロープが三つ打ロープの場合はＳ字形ガイド１１をストランドの間に挿入することにより行う。この場合はＳ字形ガイド１１の直線部１３の中央に、装着具としてストッパー１９を備えることが好ましい。該ストッパー１９は、Ｓ字形ガイド１１がロープ５のストランド間に挿入されたときに、Ｓ字形ガイド１１をロープに繋止して安定させる。また三つ打ロープ以外のロープを使用する場合は、Ｓ字形ガイドに装着具としてスリーブ（図２には示されていない。）を備え、スリーブにロープを通して圧着することにより行う。
【００１６】
前記Ｓ字形ガイド１１の上部湾曲部１５及び／又は下部湾曲部１７には、図３に示す回転可能なカラー２１が複数個取り付けられることが好ましい。該カラー２１を上部湾曲部１５に取り付けることにより、布設時の支持線との抵抗を少なくすることができる。該カラー２１はＳ字形ガイド１１に挿入して回転使用するために十分な径とし、幅は３ｍｍ〜１０ｍｍが好ましい。該カラーの材質は、表面が滑らかで一定の強度を有するものであればいずれも選択でき、例えば硬質プラスチックのような材質が好ましい。
【００１７】
前記の新設ケーブル布設装置を用いて、支持線が架設された二地点間に新設ケーブルを布設する場合の方法を図４により説明する。図４において、符合２５と２７とは新設ケーブルの布設を目的とする二地点の電柱を示し、両電柱の間には支持線３１が架設されており、一の電柱２５には幹線光ケーブル３３が既に架設されている。  
【００１８】
前記電柱２５から電柱２７へ新たなケーブルを布設するにあたり、新設用のケーブルのほかに、電柱２５と電柱２７との間の距離の０．８〜１．５倍の長さの前記ケーブル布設用具１、および支持線３１の地上からの高さより長い牽引ロープ３７を準備する。
【００１９】
本発明は以下の手順で行われる。まず前記ケーブル布設用具１に装着された全てのＳ字形ガイド１１の上部湾曲部１５を支持線３１に引掛ける。該作業はあらかじめＳ字形ガイドの上部湾曲部を揃えておくことにより、１回の作業で済ませることができる。次にケーブル布設用具１の一端（以下固定端という。）を、電柱２５の任意の場所または支持線３１の電柱２５に近い任意の場所３９に結合する。前記の２手順は、順序が相互に前後してよい。
【００２０】
次にケーブル布設用具１の他端（以下自由端という。）に近い任意の場所に、新設ケーブル３５の端末を固定する。次に新設ケーブル３５を順次Ｓ字形ガイドの下部湾曲部１７に引掛ける。該作業もあらかじめＳ字形ガイドの下部湾曲部を揃えておくことにより、１回の作業で済ませることができる。前記２手順も、順序が相互に前後してよい。またケーブル布設用具１の自由端には、牽引ロープ３７を結合する。
【００２１】
次に前記の状態で、ケーブル布設用具１の自由端に結合された牽引ロープ３７を、地上より牽引して、ケーブル布設用具１の自由端を電柱２７に誘導する。このとき、Ｓ字形ガイドの上部湾曲部１５及び下部湾曲部１７に、前記カラー２１が取り付けられていると、牽引がスムーズにおこなわれる。
【００２２】
図５に示すように、新設ケーブル３５が、電柱２７に到達した後に、新設ケーブル３５を電柱２５、及び電柱２７に固定する。
【００２３】
次に前記支持線上の任意の場所３９で結合されたケーブル布設用具１の結合を解除する。次に図６に示すように、ケーブル布設用具１を電柱２７側に手繰り寄せて回収する。この際あらかじめ手繰り寄せ用のロープを、ケーブル布設用具１の固定端側に結合しておくと回収が容易である。またケーブル布設用具１の自由端に結合された牽引ロープ３７を電柱２５側へ回収してもよい。ケーブル布設用具１の回収時も、Ｓ字形ガイド１１の上部湾曲部と下部湾曲部にカラー２１が取り付けられていると、回収作業がスムーズにおこなわれる。上記により、新設ケーブル３７の布設工事が完了する。
【実施例１】
【００２４】
以下、本発明について、実施例に基づいて詳しく説明するが、本発明は下記の実施例に限定されるものではない。本実施例において、図４に示す通り、一の電柱２５と他の電柱２７との間には支持線として用いられる径１０ｍｍの既設ケーブル３１が架設されており、一の電柱２５には幹線光ケーブル３３が既に架設されている。電柱２５と電柱２７との間の距離は５０ｍで、既設ケーブル３１は地上高５ｍであった。また新設ケーブルは、５．５ｍｍ×２．０ｍｍの２心光ドロップケーブルを用いた。
【００２５】
本実施例で用いたケーブル布設用具１の一部を図７に示すが、該ケーブル布設用具の長さは５０ｍであった。ロープ５には、２５個のＳ字形ガイドを２,０００ｍｍ間隔に装着した。該ロープは、径６ｍｍの三つ打ロープを用いた。
【００２６】
前記ケーブル布設用具１に用いたＳ字形ガイドを図７に示すが、高さ（Ｃ）２００ｍｍ、幅（Ｄ）８０ｍｍ、線径（Ｅ）４ｍｍのメッキ済みの硬鋼線材製を用いた。該Ｓ字形ガイド１１の直線部１３とＳ字の上部湾曲部１５先端との距離Ａを４０ｍｍとし、下部湾曲部１７先端との距離Ｂを３０ｍｍとした。
【００２７】
前記Ｓ字形ガイド１１の上部湾曲部１５には、２０個のカラーを、下部湾曲部１７には３０個のカラーを取り付けた。該カラーは、径が８ｍｍ、幅が５ｍｍ、材質がポリウレタン樹脂とした。
【００２８】
前記ケーブル布設用具１を用いて、新設ケーブルを布設する方法を図４に示す。まずケーブル布設用具１に装着された２５個のＳ字形ガイドの上部湾曲部を支持線３１に引掛けた。本作業はあらかじめＳ字形ガイドの上部湾曲部を揃えておくことにより、１回の作業で済ませた。次にケーブル布設用具１の固定端を、支持線３１の電柱２５より１ｍの所に、結びつけて固定した。またケーブル布設用具１の自由端に固定された牽引ロープ３７の長さは８ｍであった。
【００２９】
次に、次にケーブル布設用具１の自由端から０．５ｍの所に新設ケーブル３５の端末を固定し、新設ケーブル３５を順次Ｓ字形ガイドの下部湾曲部１７に引掛けた。本作業もあらかじめＳ字形ガイドの下部湾曲部を揃えておくことにより、１回の作業で済ませた。
【００３０】
次に、ケーブル布設用具１の自由端に結合された牽引ロープ３７を、地上より牽引して、ケーブル布設用具１の自由端を電柱２７に誘導した。
【００３１】
図５に示すように、新設ケーブル３５が、電柱２７に到達した後に、新設ケーブル３５を電柱２５、及び電柱２７に固定した。次に前記ケーブル布設用具１の固定端を、結合された場所３９から解除した。次に図６に示すように、ケーブル布設用具１を電柱２７側に手繰り寄せて回収し、新設ケーブル３７の布設工事が完了した。
【００３２】
上記による電柱２５と電柱２７の間５０ｍの布設に要した作業時間は、新設ケーブルのドラム搬入から回収作業の終了まで、作業者２名により２８分を要した。一方本発明のケーブル布設用具１を用いず、従来の新設ケーブルの布設方法である地上部を引きずることにより布設した場合の所要時間は、作業者２名により４２分を要した。また本実施例においては道路を横断する架設ではなかったが、道路を横断する架設の場合の従来方法においては、上記のほかに交通整理要員等が必要となる。したがって本発明の方法は極めて効率の高い方法であることが分かった。
【産業上の利用可能性】
【００３３】
本発明を使用することにより、ケーブルを布設する２地点上に道路横断や圃場、池等の地上の障害がある場合であっても、これらの障害に妨げることもなく円滑に且つ効率的に新設ケーブルの架設が可能となる。
【符号の説明】
【００３４】
１    ケーブル布設用具
５    ロープ
１１    Ｓ字形ガイド
１３    Ｓ字形ガイド直線部
１５    Ｓ字形ガイド上部湾曲部
１７    Ｓ字形ガイド下部湾曲部
１９    ストッパー
２１    カラー
２５    電柱
２７    電柱  
３１    支持線
３３    幹線光ケーブル
３５    新設ケーブル
３７    牽引ロープ
３９    ケーブル布設用具１の固定端の固定場所
【図１】
2011015585.tif 000003
【図２】
2011015585.tif 000004
【図３】
2011015585.tif 000005
【図４】
2011015585.tif 000006
【図５】
2011015585.tif 000007
【図６】
2011015585.tif 000008
【図７】
2011015585.tif 000009